(57)【要約】【課題】明室などの明るい環境下でも高いコントラストで画像を観察できるコントラスト調整用の照明装置、眼鏡、及び、調整方法を提供する。【解決手段】室内に設置されたディスプレイのコントラストを調整する調整方法であって、光源から照射された光を偏光する偏光フィルタとを備えた照明装置を室内に配置し、偏光フィルタの偏光方向を変更し、ディスプレイの観察を行う。【選択図】図１
2007172885.tif 000002
【特許請求の範囲】
【請求項１】
室内に設置されたディスプレイのコントラストを調整する照明装置であって、
本体ケースと、
前記本体ケースに設けられた光源と、
前記光源から照射された光を偏光する偏光フィルタとを備え、
前記偏光フィルタが、その偏光方向を変更できるように、前記本体ケースに対して可動に取り付けられていることを特徴とするコントラスト調整用の照明装置。
【請求項２】
上記請求項１に記載された照明装置が配置された室内でディスプレイを観察する際に、コントラストを調整できるコントラスト調整用の眼鏡であって、
一対のレンズと、装着する人間の耳に掛ける一対の柄とを有する本体フレームを備え、
前記一対のレンズには、その偏光方向を変更可能に前記本体フレームに保持された偏光フィルタがそれぞれ設けられていることを特徴とする眼鏡。
【請求項３】
装着した状態で、前記偏光フィルタが直視方向の軸を中心に回転可能な構成であることを特徴とする請求項２に記載の眼鏡。
【請求項４】
室内に設置されたディスプレイのコントラストを調整する調整方法であって、
光源から照射された光を偏光する偏光フィルタとを備えた照明装置を室内に配置し、前記偏光フィルタの偏光方向を変更し、前記ディスプレイの観察を行うことを特徴とするディスプレイの調整方法。
【請求項５】
一対のレンズと、装着する人間の耳に掛ける一対の柄とを有する本体フレームを備えた眼鏡を装着し、前記一対のレンズにそれぞれ設けられた偏光フィルタの偏光方向を変更することで、コントラストを調整することを特徴とする請求項４に記載のディスプレイの調整方法。
【発明の詳細な説明】
【技術分野】
【０００１】
本発明は、ディスプレイが設置された室内で利用される、該ディスプレイのコントラストを調整するための照明装置、眼鏡、及び、調整方法に関する。
【背景技術】
【０００２】
従来、ディスプレイは様々な環境下で観察されている。明室環境下でディスプレイを観察する場合には、ディスプレイの表面で室内の照明光が反射されてしまうことや、壁などが映り込んでしまうことに起因して、ディスプレイに表示される映像のコントラストが低下してしまうということがあった。そこで、従来では、このようなコントラストの低下を防ぐためにディスプレイの表面に特別なフィルムを貼ることで、照明光の反射や映り込みを防止していた。
【発明の開示】
【発明が解決しようとする課題】
【０００３】
しかし、ディスプレイの表面に特別なフィルムを貼ると、表示される映像自体の妨げになっていた。また、そのようなフィルムを別途用意する必要があり、余計なコストがかかる点で改善の余地があった。
【０００４】
本発明は、上記事情に鑑みてなされたもので、その目的は、明室などの明るい環境下でも高いコントラストで画像を観察できるコントラスト調整用の照明装置、眼鏡、及び、調整方法を提供することにある。
【課題を解決するための手段】
【０００５】
本発明の上記目的は、室内に設置されたディスプレイのコントラストを調整する照明装置であって、本体ケースと、本体ケースに設けられた光源と、光源から照射された光を偏光する偏光フィルタとを備え、偏光フィルタが、その偏光方向を変更できるように、本体ケースに対して可動に取り付けられていることを特徴とするコントラスト調整用の照明装置によって達成される。
【０００６】
本発明の照明装置は、偏光方向を変更可能な偏光フィルタを備えている。そして、照明装置を室内に配置して、ディスプレイの観察を行う際に、観察者が照明装置に備えられた偏光フィルタを操作して偏光方向を変更することによって、ディスプレイのコントラストを調整することができる。このため、ディスプレイ自体に特定のフィルムを別途貼り付ける必要がなく、高いコントラストでディスプレイを観察することができる。
【０００７】
また、本発明の上記目的は、上記照明装置が配置された室内でディスプレイを観察する際に、コントラストを調整できるコントラスト調整用の眼鏡であって、一対のレンズと、装着する人間の耳に掛ける一対の柄とを有する本体フレームを備え、一対のレンズには、その偏光方向を変更可能に本体フレームに保持された偏光フィルタがそれぞれ設けられていることを特徴とする眼鏡によって達成することができる。こうすれば、室内に配置された照明装置に備えられた偏光フィルタによってディスプレイのコントラストを調整するとともに、眼鏡のレンズに設けられた偏光フィルタの偏光方向を変更することによって、ディスプレイのコントラストをより一層広い範囲で調整することができる。
【０００８】
上記眼鏡は、装着した状態で、偏光フィルタが直視方向の軸を中心に回転可能な構成であることが好ましい。こうすれば、ディスプレイのコントラストを調整する際に、観察者は、偏光フィルタを手指などで操作することでその偏光方向を調整し、眼鏡を装着した状態のまま、ディスプレイを視認しつつ高いコントラストとなるように調整することができ、使い勝手が良い。
【０００９】
さらに、本発明の上記目的は、室内に設置されたディスプレイのコントラストを調整する調整方法であって、光源から照射された光を偏光する偏光フィルタとを備えた照明装置を室内に配置し、偏光フィルタの偏光方向を変更し、ディスプレイの観察を行うことを特徴とするディスプレイの調整方法によって達成される。
【００１０】
本発明のディスプレイの調整方法によれば、照明装置が配置された室内においてディスプレイの観察を行う際に、観察者が照明装置に備えられた偏光フィルタを操作して偏光方向を変更することによって、ディスプレイのコントラストを調整することができる。このため、ディスプレイ自体に特定のフィルムを別途貼り付ける必要がなく、高いコントラストでディスプレイを観察することができる。
【００１１】
また、本発明のディスプレイの調整方法は、一対のレンズと、装着する人間の耳に掛ける一対の柄とを有する本体フレームを備えた眼鏡を装着し、一対のレンズにそれぞれ設けられた偏光フィルタの偏光方向を変更することで、コントラストを調整することが好ましい。こうすれば、室内に配置された照明装置に備えられた偏光フィルタによってディスプレイのコントラストを調整するとともに、眼鏡のレンズに設けられた偏光フィルタの偏光方向を変更することによって、ディスプレイのコントラストをより一層広い範囲で調整することができる。
【発明の効果】
【００１２】
本発明によれば、明室などの明るい環境下でも高いコントラストで画像を観察できるコントラスト調整用の照明装置、眼鏡、及び、調整方法を提供できる。
【発明を実施するための最良の形態】
【００１３】
以下、本発明の実施形態を図面に基づいて詳しく説明する。
図１は、本発明にかかるディスプレイの照明装置、及び、眼鏡の使用状態を説明する図である。
【００１４】
図１に示すように、室内空間１００には、照明装置１０と、ディスプレイＤを有する表示装置３０とが配置されている。室内空間１００における、照明装置１０及び表示装置３０を配置する位置は特に限定されない。照明装置１０及び表示装置３０を配置する位置として、一般の住宅における居住空間の間取りを参照することができる。また、図１において、室内空間１００に１つの照明装置１０が配置されている場合を例示して説明を簡略化しているが、複数の照明装置配置されていてもよい。
【００１５】
ディスプレイＤとしては、例えば、テレビジョンやパーソナルコンピュータなどの表示部や、その他の所定の面に像を視認可能に表示する装置の表示部である。ディスプレイＤにおける像を表示する領域の面積は特に限定されない。
【００１６】
ディスプレイＤを観察する際には、観察者である人間Ｐが室内空間１００の所定の位置からディスプレイＤを直接視認する。ここで、室内空間１００において、人間Ｐが観察を行う位置は特に限定されない。
【００１７】
人間Ｐは、ディスプレイＤを観察する際に、該ディスプレイＤのコントラストを調整できる眼鏡２０を装着していることが好ましい。眼鏡２０の構成及び機能については後述する。
【００１８】
次に、本発明にかかる照明装置の構成を説明する。
図２は、照明装置を側面視した状態を示す図である。図２に示すように、照明装置１０は、傘状の本体ケース１１を有している。本体ケースは、略円筒形状を有し、内部が中空であって、その周面が下方側に向って径が大きくなるように構成され、側面視した状態（図２を正面から見た状態）で略台形状である。本体ケース１１は、上方の端部が天板によって塞がれているとともに、下方の端部が開放された構成となっている。なお、本体ケースの形状は、このような形状に、特に限定されない。
【００１９】
本体ケース１１の上方板部には室内空間１００の天井や壁に設けられた図示しない取付部に接続可能な接続部１２が設けられている。接続部１２は、照明装置１０に電気を供給するための電気配線やコードが内蔵されていてもよい。
【００２０】
本体ケース１１の内部には、接続部１２を介して延設された電気配線などと電気的に接続されたコネクタ部１４と、該コネクタ部１４に接続された電球などの光源１３とが設けられている。
【００２１】
光源１３としては、例えば、白熱電球や蛍光ランプなどを使用することができ、その形状や規格は特に限定されない。図２においては、上方視において、光源１３は特に限定されず、直線形状や円環形状やＵ字形状とすることができる。
【００２２】
図示しないが、本体ケース１１には、光源１３から照射される光を効率良く拡散させるため、拡散板が設けられていてもよい。
【００２３】
本体ケース１１には、該本体ケース１１の下方の開放側端部１１ａを塞ぐように、円盤形状を有する偏光フィルタ１５が取り付けられている。
【００２４】
図３は、偏光フィルタの構成を示す図である。偏光フィルタ１５は、円板状の板体を有し、板体の周面には径方向外側に突設する複数（本実施形態では３つ）の操作リブ１５ａが形成されている。
偏光フィルタ１５は、中心部Ｏを中心に回動させることで、直線方向に入射した光に対する屈折率が変化する直線偏光フィルである。
【００２５】
一方、本体ケース１１には、上下方向に所定の隙間を有するスリット１１ｂが該本体ケース１１の周面下側の縁部に沿って複数（本実施形態では３つ）延設されている。そして、偏光フィルタ１５を本体ケース１１に取り付ける際には、偏光フィルタ１５に形成された複数の操作リブ１５ａを、本体ケース１１の内側から複数のスリット１１ｂにそれぞれ挿通し、操作リブ１５ａの先端部における少なくとも一部が本体ケース１１から外側に露呈するように取り付ける。人間Ｐが手指によってこれら操作リブ１５ａを中心部Ｏを中心として押し回すと、操作リブ１５ａがスリット１１ｂに案内されつつ移動し、偏光フィルタ１５を回動させることができる。こうのように、偏光フィルタ１５は、図３の矢印方向に示すように照明装置１０の本体ケース１１に回動自在な状態で取り付けられている。
【００２６】
本体ケース１１の外側周面や内側周面に、スリット１１ｂの移動量を確認できるように、目盛りやマーカなどのインジケータが形成されていてもよい。
【００２７】
次に、上記照明装置を用いてディスプレイの調整方法の手順を説明する。
本発明にかかる照明装置１０が配置された室内においてディスプレイの観察を行う際には、先ず、ディスプレイＤ及び照明装置１０をＯＮ状態とする。観察者は、ディスプレイＤのコントラストを視認によって主観的に判断し、照明装置１０の偏光フィルタ１５を回動させる。このとき、観察者は、偏光フィルタ１５によって照明装置１０の光源１３から照射される光の偏光量を調整しながら、ディスプレイＤのコントラストが最も高くなるように偏光フィルタ１５の回動位置を設定する。
【００２８】
なお、照明装置１０は、上述のように偏光フィルタ１５を観察者が手動で回動させる構成に限定されない。例えば、観察者がリモコンなどで遠隔的に操作することで、本体ケース１１に設けられた駆動部が駆動することによって偏光フィルタ１５を回動させる機構としてもよい。
【００２９】
照明装置１０は、室内でディスプレイの観察を行う際に、観察者が照明装置１０に備えられた偏光フィルタ１５を操作して偏光方向を変更することによって、ディスプレイＤのコントラストを調整することができる。このため、ディスプレイＤ自体に特定のフィルムを別途貼り付ける必要がなく、高いコントラストでディスプレイＤを観察することができる。
【００３０】
次に、上記照明装置が配置された室内でディスプレイを観察する際に、コントラストを調整できるコントラスト調整用の眼鏡を説明する。
図４は、眼鏡の構成を説明する全体斜視図である。図５は、図４の矢印Ｘ方向にみた状態を示す図である。
図４に示すように、眼鏡２０は、フレーム本体２１を有している。フレーム本体２１には、フレーム前板部２２と、該フレーム前板部２２にそれぞれ一方の端部が取り付けられた一対の柄２３とが形成されている。一対の柄２３には、フレーム前板部２２に対して反対側の端部である他方の端部にフック部２３ａがそれぞれ形成されている。眼鏡２０を観察者が装着した状態で、一対の柄２３のそれぞれのフック部２３ａが観察者の両耳に掛け渡される。なお、一対の柄２３は、フレーム前板部２２に一体成形などで形成されていてもよく、または、ヒンジ部によってフレーム前板部２２に対してそれぞれ折り畳み自在である構成とすることもできる。
【００３１】
フレーム前板部２２には、眼鏡２０を観察者が装着した状態で、観察者の鼻と干渉することなく、鼻の上部において保持されるように、一部切り欠いた形状の逃げ部２４が形成されている。
【００３２】
フレーム前板部２２には、一対の開口２６が形成され、一対の開口２６のそれぞれに略円盤形状のレンズ部２７が収納保持されている。レンズ部２７の形状は平らな板体や両方の面が所定の曲率で形成された両凸形状とすることができる。
【００３３】
フレーム前板部２２の一対の開口２６に収納保持されたレンズ部２７のそれぞれ前側に略円盤形状を有する偏光フィルタ２５が設けられている。偏光フィルタ１５は、直線偏光フィルを採用した構成である。
【００３４】
偏光フィルタ２５は、一対の開口２６に、該偏光フィルタ２５の周縁部の一部を露出させた状態で収納保持されており、各偏光フィルタ２５の露出した部位に操作リブ２５ａが設けられている。そして、眼鏡２０を観察者が装着した状態で、手指などで操作リブ２５ａを図４中矢印方向に向って操作することで、偏光フィルタ２５が観察者の直視方向の軸（図４において一点鎖線で示す軸）を中心に回動する。すると、偏光フィルタ２５は、回動させることで直線方向に入射した光に対する屈折率が変化する構成である。
【００３５】
このように、眼鏡２０を装着した状態で偏光フィルタ２５を回転可能な構成であるため、ディスプレイＤのコントラストを調整する際に、観察者は、偏光フィルタ２５を手指などで操作することでその偏光方向を調整できる。このため、眼鏡を装着した状態のまま、ディスプレイＤを視認しつつ高いコントラストとなるように調整することができ、使い勝手が良い。
【図面の簡単な説明】
【００３６】
【図１】本発明にかかるディスプレイの照明装置、及び、眼鏡の使用状態を説明する図である。
【図２】照明装置を側面視した状態を示す図である。
【図３】偏光フィルタの構成を示す図である。
【図４】眼鏡の構成を説明する全体斜視図である。
【図５】図４の矢印Ｘ方向にみた状態を示す図である。
【符号の説明】
【００３７】
１０    照明装置
１５    偏光フィルタ
２０    眼鏡
２５    偏光フィルタ
Ｄ    ディスプレイ
Ｐ    観察者
【図１】
2007172885.tif 000003
【図２】
2007172885.tif 000004
【図３】
2007172885.tif 000005
【図４】
2007172885.tif 000006
【図５】
2007172885.tif 000007